(57)【要約】【課題】並置されている複数の板体の端部間、及び並置されている複数のシャーシ分体の端部間から外部の埃がシャーシ内に侵入するのを防ぐことができ、また、端部同士の連結強度を高めることができる光源装置を提供する。【解決手段】枠部の開放部を閉塞する蓋板３を有し、内部に複数のランプが並置されるシャーシの蓋板３を、端部を重ね合わせて並置されている複数の板体３１，３２，３３と、該板体３１，３２，３３夫々の重ね合う端部３１ａ，３３ｂ及び３２ａ，３３ｃを連結してある連結具７とを備える構成とした。【選択図】図５
2008311039.tif 000002
【特許請求の範囲】
【請求項１】
枠部及び該枠部の開放部を閉塞する蓋板を有し、内部に複数のランプが配されるシャーシを備える光源装置において、前記蓋板は、端部を重ね合わせて並置されている複数の板体を備えることを特徴とする光源装置。
【請求項２】
内部に複数のランプが配されるシャーシを備える光源装置において、前記シャーシは、端部を重ね合わせて並置されている複数のシャーシ分体を備えることを特徴とする光源装置。
【請求項３】
前記重ね合う端部を連結してある連結具を備える請求項１又は２記載の光源装置。
【請求項４】
前記重ね合う端部の一方は重ね合わせる方向へ偏倚している請求項１から３のいずれか一つに記載の光源装置。
【請求項５】
前記連結具は、その幅方向へ凹凸に屈曲する帯状板、及び該帯状板を前記重ね合う端部に取付けてある取付具を有する請求項３記載の光源装置。
【請求項６】
前記重ね合う端部の一方は、重ね合わせる方向へ突出し、前記帯状板の窪みに配されている筒部を有し、前記帯状板は窪みを貫通する貫通孔を有し、該貫通孔へ挿通して前記筒部に前記取付具が嵌入してある請求項５記載の光源装置。
【請求項７】
前記重ね合う端部夫々は凹条部を有し、凹条部夫々を嵌合してある請求項１又は２記載の光源装置。
【請求項８】
前記凹条部夫々を貫通する貫通孔を有し、該貫通孔に連結具を嵌入してある請求項７記載の光源装置。
【請求項９】
前記重ね合う端部の一方は凹条部、及び該凹条部を貫通する貫通孔を有し、他方は重ね合わせる方向へ突出し、前記凹条部内に配されている筒部を有し、前記貫通孔へ挿通して前記筒部に前記連結具が嵌入してある請求項３記載の光源装置。
【発明の詳細な説明】
【技術分野】
【０００１】
本発明は液晶表示装置等の表示装置の光源として使用される光源装置に関する。
【背景技術】
【０００２】
テレビジョン等の表示装置は、画像を表示する画像表示面を前側に有する表示部の後側に光源装置が配されている。
【０００３】
光源装置は、例えば両端部に電極を有する複数本のランプと、直方体をなす枠部、該枠部の開放部を閉塞する蓋板及び該蓋板に離隔して取付けられている複数の補強桟を有し、内部に前記ランプが並置されるシャーシとを備える（例えば、特許文献１参照。）。蓋板は枠部に対応して長方形をなし、アルミニウム板、鉄板等の一枚の金属板からなり、該蓋板の周縁部が枠部に結合されている。
【特許文献１】特開２００６−３３７７７６号公報
【発明の開示】
【発明が解決しようとする課題】
【０００４】
ところで、液晶テレビジョン等の薄型の表示装置はパネルが年々大型になっており、このパネルの大型化に伴って光源装置も大型に形成されている。
【０００５】
ところが、光源装置のシャーシの蓋板は一枚の金属板により形成されており、また、この蓋板は金型により成形されているため、比較的大型の表示装置に用いられる光源装置にあっては、蓋板成形用の超大型の金型が必要であり、蓋板の生産効率及び蓋板生産設備に関わる費用が高くなり、蓋板の製造コスト、ひいては光源装置のコストが増加することになり、改善策が要望されていた。また、ランプ等が発生する熱により蓋板が熱膨張し、該蓋板に反り、撓み変形が発生し易いという問題もあった。
【０００６】
このような問題点に鑑み、本発明の出願人は前記シャーシの蓋板を、該蓋板の面に沿って並置されている複数の板体、及び隣合う板体を連結している連結部材を備える構成とすることにより、蓋板の生産性を高めることができ、比較的大型の光源装置のコストを低減することができるとともに、蓋板の熱膨張による撓み変形を発生し難くできるようにした光源装置を先に開発した。
【０００７】
しかし、この光源装置にあっては、隣合う板体の端末同士が対向し、この状態で隣合う板体の端部を連結部材が連結しているため、隣合う板体の端部間に隙間が発生し易く、外部の埃が前記端部間からシャーシ内に侵入する可能性があり、より一層の改善策が要望されていた。
【０００８】
本発明は斯かる事情に鑑みてなされたものであり、主たる目的は並置されている複数の板体の端部間、及び並置されている複数のシャーシ分体の端部間から外部の埃がシャーシ内に侵入するのを防ぐことができ、また、端部同士の連結強度を高めることができる光源装置を提供することにある。
【課題を解決するための手段】
【０００９】
本発明に係る光源装置は、枠部及び該枠部の開放部を閉塞する蓋板を有し、内部に複数のランプが配されるシャーシを備える光源装置において、前記蓋板は、端部を重ね合わせて並置されている複数の板体を備えることを特徴とする。
【００１０】
この発明にあっては、並置されている板体の端部が重ね合わされているため、外部の埃が板体の端部間からシャーシ内に侵入するのを防ぐことができる。
【００１１】
また、本発明に係る光源装置は、内部に複数のランプが配されるシャーシを備える光源装置において、前記シャーシは、端部を重ね合わせて並置されている複数のシャーシ分体を備えることを特徴とする。
【００１２】
この発明にあっては、並置されているシャーシ分体の端部が重ね合わされているため、外部の埃がシャーシ分体の端部間からシャーシ内に侵入するのを防ぐことができる。
【００１３】
また、本発明に係る光源装置は、前記重ね合う端部を連結してある連結具を備えているのが好ましい。
この発明にあっては、複数の板体、又は複数のシャーシ分体は端部が重ね合って連結されているため、補強部材を用いることなく板体の連結強度、ひいてはシャーシの剛性を高めることができる。
【００１４】
また、本発明に係る光源装置は、前記重ね合う端部の一方は重ね合わせる方向へ偏倚しているのが好ましい。
この発明にあっては、外部の埃がシャーシ内に侵入する方向を２方向に変えることができるため、埃の侵入阻止性を高めることができる。また、シャーシの内側で隣合う端部間に段差が生ずるのを防ぐことができ、シャーシの内面を平坦にすることができる。
【００１５】
また、本発明に係る光源装置は、前記連結具は、その幅方向へ凹凸に屈曲する帯状板、及び該帯状板を前記重ね合う端部に取付けてある取付具を有するのが好ましい。
この発明にあっては、重ね合う端部を帯状板が重ね合わせる方向へ押圧するため、重ね合う端部を全体的に簡易に密着させることができ、シャーシが比較的大形であっても前記取付具の個数を低減でき、シャーシの加工性、組立作業性を高めることができる。
【００１６】
また、本発明に係る光源装置は、前記重ね合う端部の一方は、重ね合わせる方向へ突出し、前記帯状板の窪みに配されている筒部を有し、前記帯状板は窪みを貫通する貫通孔を有し、該貫通孔へ挿通して前記筒部に前記取付具が嵌入してあるのが好ましい。
この発明にあっては、取付具をシャーシ内に突出させることなく取付具の嵌入量を多くすることができるため、シャーシ内の平坦性を保つことができるとともに、取付具の嵌入による連結強度を高めることができ、ひいてはシャーシの剛性をより一層高めることができる。
【００１７】
また、本発明に係る光源装置は、前記重ね合う端部夫々は凹条部を有し、凹条部夫々を嵌合してあるのが好ましい。
この発明にあっては、重ね合う端部自体に凹条部が設けられており、この凹条部同士が嵌合されているため、補強部材及び帯状板を用いることなく板体、又はシャーシ分体の連結強度、ひいてはシャーシの剛性を高めることができる。
【００１８】
また、本発明に係る光源装置は、前記凹条部夫々を貫通する貫通孔を有し、該貫通孔に前記連結具を嵌入してあるのが好ましい。
この発明にあっては、雄螺子等の連結具をシャーシ内に突出させることなく、連結具の嵌入量を多くすることができるため、シャーシ内の平坦性を保つことができるとともに、連結具による連結強度を高めることができ、ひいてはシャーシの剛性を高めることができる。
【００１９】
また、本発明に係る光源装置は、前記重ね合う端部の一方は凹条部、及び該凹条部を貫通する貫通孔を有し、他方は重ね合わせる方向へ突出し、前記凹条部内に配されている筒部を有し、前記貫通孔へ挿通して前記筒部に前記連結具が嵌入してあるのが好ましい。
この発明にあっては、雄螺子等の連結具をシャーシ内に突出させることなく、連結具の嵌入量を多くすることができるため、シャーシ内の平坦性を保つことができるとともに、連結具による連結強度を高めることができ、ひいてはシャーシの剛性を高めることができる。
【発明の効果】
【００２０】
本発明によれば、並置されている板体の端部が重ね合わされているため、外部の埃が板体の端部間からシャーシ内に侵入するのを防ぐことができる。
【００２１】
また、本発明によれば、並置されているシャーシ分体の端部が重ね合わされているため、外部の埃がシャーシ分体の端部間からシャーシ内に侵入するのを防ぐことができる。
【００２２】
また、本発明によれば、板体は端部、又はシャーシ分体の端部が重ね合って連結されているため、補強部材を用いることなく板体の連結強度、ひいてはシャーシの剛性を高めることができる。
【発明を実施するための最良の形態】
【００２３】
以下本発明をその実施の形態を示す図面に基づいて詳述する。
実施の形態１
図１は表示装置に組込まれている本発明に係る光源装置の構成を示す断面図、図２は本発明に係る光源装置のシャーシの構成を示す背面図、図３はシャーシの構成を示す枠部を省略した分解斜視図、図４は図２のIV−IV線の拡大断面図、図５は図２のIV−IV線の一部を省略した拡大断面図である。
【００２４】
図示した光源装置は、前側に表示面１ａを有し、略直方体をなす表示部１を備える薄型の表示装置Ａにおける表示部１の後側に装着されるもので、枠部２及び蓋板３を有し、前側が開放されている箱形をなすシャーシＢと、直管形をなし、シャーシＢ内に上下に離隔して並置される複数本のランプ４と、該ランプ４の両端部を枠部の内側に保持するホルダと、前記ランプ４の中間部を蓋板３に保持する複数のクリップと、シャーシＢ内に配置され、ランプ４の放射光をシャーシＢの開放部側に反射させるべき反射シート５とを備え、蓋板３の外面にインバータ回路基板等の電気部品６が取付けられる。
【００２５】
ランプ４は両端部に電極を有する冷陰極管であり、夫々のランプ４の電極にインバータ回路基板が接続され、パルス幅変調信号により明るさが制御されるように構成されている。
【００２６】
シャーシＢは直方体をなす枠部２と、周縁部が枠部２に結合され、該枠部２の後側端を閉塞する蓋板３とを有する。枠部２の後側端には複数の螺子孔が周方向に離隔して開設されている。蓋板３は該蓋板３の面に沿ってランプ４の長手方向に並置される第１〜第３の板体３１，３２，３３を連結具７で連結してなり、枠部２に対応して長方形に形成されている。第１〜第３の板体３１，３２，３３はアルミニウム板を略長方形に成形してなり、隣合う端部同士が重ね合わされている。
【００２７】
第１及び第２の板体３１，３２の一端部には、孔縁周りに環状凹所を有する複数の取付孔３１ａ，３２ａが、板体３１〜３３の並置方向及び一端部の端末に沿う方向へ離隔して開設されており、取付孔３１ａ，３２ａ夫々に螺子孔を有する筒体３４が取付けられている。筒体３４は取付孔３１ａ，３２ａに嵌入された後、一端がカシメにより固定されており、カシメ部分が前記環状凹所に嵌められている。また、第１及び第２の板体３１，３２の他端部にはランプ４とインバータ回路基板とに接続されるコネクタ用の挿通孔３１ｂ，３２ｂが列設されている。
【００２８】
第３の板体３３の両端部は段部３３ａ，３３ａを経て板厚方向（重ね合わせる方向）へ偏倚しており、一方の端部３３ｂに第１の板体３１の端部３１ｃが重ね合わされ、他方の端部３３ｃに第２の板体３２の端部３２ｃが重ね合わされている。一方の端部３３ｂには第１の板体３１の筒体３４夫々が挿通される挿通孔３３ｄが、板体３１〜３３の並置方向及び一方の端部３３ｂの端末に沿う方向へ離隔して開設されており、他方の端部３３ｃには第２の板体３２の筒体３４夫々が挿通される挿通孔３３ｅが、板体３１〜３３の並置方向及び他方の端部３３ｃの端末に沿う方向へ離隔して開設されている。
【００２９】
また、第１〜第３の板体３１，３２，３３の枠部２に対応する端末部には螺子孔に対応する挿通孔３１ｄ，３２ｄ，３３ｆが開設されている。
【００３０】
連結具７は第３の板体３３の端部３３ｂ，３３ｃに重ね合わされ、その幅方向へ凹凸に屈曲する帯状板７１と、筒体３４の螺子孔に捩込まれ、重ね合う端部３１ｃ，３３ｂ、３２ｃ，３３ｃに帯状板７１を押付けて取付ける雄螺子７２とを有する。尚、雄螺子７２が取付具を構成している。
【００３１】
帯状板７１は端部３３ｂ，３３ｃの外面と接触する二つの接触平面７１ａと、接触平面７１ａ夫々の両側縁から窪む三つの凹条部７１ｂにより凹凸に屈曲しており、両側の二つの凹条部７１ｂに、筒体３４に対応する貫通孔７１ｃが前記重ね合わせる方向へ開設されている。貫通孔７１ｃは筒体３４よりも小径に形成され、筒体３４の先端が凹条部７１ｂの内面に当接している。
【００３２】
第１〜第３の板体３１，３２，３３の連結は、端部３１ｃ，３２ｃに筒体３４が取付けられている第１及び第２の板体３１，３２が蓋板３の面に沿って外面が上向となるように離隔して並置され、第１及び第２の板体３１，３２間に第３の板体３３が配置され、第３の板体３３の一方の端部３３ｂの挿通孔３３ｄに、第１の板体３１の筒体３４が挿通され、第３の板体３３の他方の端部３３ｃの挿通孔３３ｅに、第２の板体３２の筒体３４が挿通された後、第３の板体３３の端部３３ｂ，３３ｃに帯状板７１が載置され、該帯状板７１の接触平面７１ａが端部３３ｂ，３３ｃの外面に接触した状態で、帯状板７１の凹条部７１ｂに開設されている貫通孔７１ｃへ雄螺子７２を挿通して筒体３４の螺子孔に捩込むことにより行われる。この連結により、帯状板７１の接触平面７１ａが端部３３ｂ，３３ｃに押付けられ、重ね合う端部３１ｃ，３３ｂ、３２ｃ，３３ｃ同士が密着し、重ね合う端部３１ｃ，３３ｂ、３２ｃ，３３ｃ間の隙間はなくなる。このように形成された蓋板３は枠部２の後端に載置され、第１〜第３の板体３１〜３３の挿通孔３１ｄ，３２ｄ，３３ｆへ挿通して螺子孔に捩込まれる雄螺子により蓋板３が枠部２に取付けられ、箱形のシャーシＢが形成される。
【００３３】
以上のように構成された光源装置のシャーシＢは、第１〜第３の板体３１〜３３を連結する帯状板７１の接触平面７１ａが端部３３ｂ，３３ｃに押付けられ、重ね合う端部３１ｃ，３３ｂ、３２ｃ，３３ｃ同士が密着し、重ね合う端部３１ｃ，３３ｂ、３２ｃ，３３ｃ間の隙間はなくなる。また、第３の板体３３の端部３３ｂ，３３ｃは重ね合わせる方向へ偏倚し、この偏倚した端部３３ｂ，３３ｃに第１及び第２の板体３１，３２の端部３１ｃ，３２ｃが重ね合わされているため、外部の埃がシャーシＢ内に侵入する方向が、前記並置される方向、及び前記重ね合わせる方向の２方向となり、埃の侵入阻止性を高めることができる。また、シャーシＢの内面を平坦にすることができるため、シャーシＢの内側に配する反射シート５に皺が生ずるのを防ぐことができる。
【００３４】
また、蓋板３は、アルミニウム板からなる第１及び第２の板体３１，３２と、アルミニウム板からなる第３の板体３３とが端部３１ｃ，３３ｂ、３２ｃ，３３ｃを重ね合わせて帯状板７１及び雄螺子７２により連結されているため、蓋板３を軽量にできるとともに蓋板３の剛性を高めることができ、比較的大型の光源装置であっても、シャーシＢを軽量にでき、しかもシャーシＢの剛性を高めることができる。
【００３５】
因に、第１〜第３の板体３１，３２，３３を連結具７により連結してなる蓋板３と、一枚のアルミニウム板からなる蓋板との長手方向への熱膨張量を、初期温度２０℃、解析時温度４０℃、温度差２０℃で測定したところ、第１〜第３の板体３１，３２，３３を連結してなる蓋板３の熱膨張量は0.687mm であったのに対し、一枚のアルミニウム板からなる蓋板３の熱膨張量は0.701mm であり、熱膨張量を低減できた。
【００３６】
実施の形態２
図６は光源装置のシャーシの他の構成を示す要部の拡大断面図、図７はシャーシの他の構成を示す要部の分解した拡大斜視図である。この光源装置は、実施の形態１のように帯状板７１を有する連結具７を用いる代わりに、第１及び第３の板体３１，３３の重ね合う端部３１ｃ，３３ｂに、板体３１〜３３が並置される方向へ離隔した複数の位置で重ね合わせる方向へ窪む凹条部３１ｅ，３３ｇを設け、第２及び第３の板体３２，３３の重ね合う端部３２ｃ，３３ｃに、板体３１〜３３が並置される方向へ離隔した複数の位置で重ね合わせる方向へ窪む凹条部３２ｅ，３３ｈを設け、凹条部３１ｅ，３３ｇ、３２ｅ，３３ｈ夫々に、前記重ね合わせる方向へ貫通する貫通孔３１ｆ，３３ｉ、３２ｆ，３３ｊを開設し、該貫通孔３１ｆ，３３ｉ、３２ｆ，３３ｊに雄螺子７２を捩込むことにより重ね合う端部３１ｃ，３３ｂ、３２ｃ，３３ｃ同士を連結したものである。尚、第１及び第２の板体３１，３２の凹条部３１ｅ，３２ｅに開設されている貫通孔３１ｆ，３２ｆには螺子孔が設けられている。
【００３７】
この光源装置にあっては、離隔して並置された第１及び第２の板体３１，３２の端部３１ｃ，３２ｃに第３の板体３３の端部３３ｂ，３３ｃを重合させることにより、重ね合う端部３１ｃ，３３ｂの凹条部３１ｅ，３３ｇ夫々が嵌合され、重ね合う端部３２ｃ，３３ｃの凹条部３２ｅ，３３ｈ夫々が嵌合され、第３の板体３３の凹条部３３ｇ，３３ｈの貫通孔３３ｉ，３３ｊへ雄螺子７２を挿通して第１及び第２の板体３１，３２の凹条部３１ｅ，３２ｅの貫通孔３１ｆ，３２ｆに捩込むことにより重ね合う端部３１ｃ，３３ｂ、３２ｃ，３３ｃ同士を連結することができる。このように帯状板７１がなく、雄螺子７２が連結具７を構成しているため、シャーシＢの組立作業性を高めることができる。また、重ね合う端部３１ｃ，３３ｂ、３２ｃ，３３ｃの夫々に凹条部３１ｅ，３３ｇ、３２ｅ，３３ｈが設けられ、凹条部３１ｅ，３３ｇ及び凹条部３２ｅ，３３ｈが嵌合されているため、重ね合う端部３１ｃ，３３ｂ、３２ｃ，３３ｃ間の密着性、換言すると埃の侵入阻止性を高めることができるとともに、帯状板７１を用いることなく連結強度を高めることができる。
その他の構成及び作用は実施の形態１と同様であるため、同様の部品については同じ符号を付し、その詳細な説明及び作用効果の説明を省略する。
【００３８】
実施の形態３
図８は光源装置のシャーシの他の構成を示す要部の拡大断面図である。この光源装置は、実施の形態２のように重ね合う端部３１ｃ，３３ｂ、３２ｃ，３３ｃの夫々に凹条部３１ｅ，３３ｇ及び凹条部３２ｅ，３３ｈを設けることなく、第３の板体３３の端部３３ｂ，３３ｃに凹条部３３ｇ，３３ｈを設け、該凹条部３３ｇ，３３ｈの長手方向複数箇所に、前記重ね合わせる方向へ貫通する貫通孔３３ｋ，３３ｍを開設し、第１及び第２の板体３１，３２の端部３１ｃ，３２ｃに、重ね合わせる方向へ突出し、前記凹条部３３ｇ，３３ｈ内に配される筒体３４（又は筒部）を設け、貫通孔３３ｋ，３３ｍへ雄螺子７２を挿通して筒体３４内に捩込むことにより重ね合う端部３１ｃ，３３ｂ、３２ｃ，３３ｃ同士を連結したものである。
【００３９】
この光源装置にあっては、離隔して並置された第１及び第２の板体３１，３２の端部３１ｃ，３２ｃに第３の板体３３の端部３３ｂ，３３ｃを重ね合わせることにより、第１及び第２の板体３１，３２の端部３１ｃ，３２ｃに設けられている筒体３４の夫々が凹条部３３ｇ，３３ｈ内に配され、第３の板体３３の凹条部３３ｇ，３３ｈの貫通孔３３ｋ，３３ｍへ雄螺子７２を挿通して第１及び第２の板体３１，３２の筒体３４内に捩じ込むことにより重ね合う端部３１ｃ，３３ｂ、３２ｃ，３３ｃ同士を連結することができる。このように帯状板７１がなく、雄螺子７２が連結具７を構成しているため、シャーシＢの組立作業性を高めることができる。また、重ね合う端部３１ｃ，３３ｂ、３２ｃ，３３ｃの一方に凹条部３３ｇ，３３ｈが設けられているため、帯状板７１を用いることなく連結強度を高めることができる。
その他の構成及び作用は実施の形態１、２と同様であるため、同様の部品については同じ符号を付し、その詳細な説明及び作用効果の説明を省略する。
【００４０】
実施の形態４
図９は光源装置のシャーシの他の構成を示す斜視図、図１０はシャーシの他の構成を示す分解斜視図、図１１はシャーシの他の構成を示す拡大断面図である。この光源装置は、実施の形態１〜３のように枠部２及び蓋板３を有するシャーシＢの蓋板３が複数の板体３１，３２，３３により形成されている構成とする代わりに、シャーシＣ自体が第１〜第３のシャーシ分体８，９，１０により形成され、シャーシ分体８，９，１０夫々の隣合う端部８ａ，１０ａ、９ａ，１０ｂを重ね合わせ、重ね合う端部８ａ，１０ａ、９ａ，１０ｂを、帯状板７１及び雄螺子７２を備える連結具７により連結されている構成としたものである。
【００４１】
シャーシＣは、略長方形をなし、ランプ４の長手方向に並置されている第１〜第３の板部８１，９１，１０１、両側に配されている第１及び第２の板部８１，９１の三つの縁から内部側へ屈曲する三つの屈曲片８２，９２を有する第１及び第２のシャーシ分体８，９と、中央に配されている第３の板部１０１の二つの縁から内部側へ屈曲する二つの屈曲片１０２を有する第３のシャーシ分体１０と、各シャーシ分体８，９，１０の屈曲片８２，９２，１０２が枠形をなすように第１及び第３のシャーシ分体８，１０の端部８ａ，１０ａ同士、第２及び第３のシャーシ分体９，１０の端部９ａ，１０ｂ同士を重ね合わせて連結してある帯状板７１及び雄螺子７２とを備える。
【００４２】
第１及び第２の板部８１，９１の一端部８ａ，９ａには、孔縁周りに環状凹所を有する複数の取付孔８３，９３が、板部８１，９１，１０１の並置方向及び一端部の端末に沿う方向へ離隔して開設されており、取付孔８３，９３夫々に螺子孔を有する筒体３４が取付けられている。筒体３４は取付孔８３，９３に嵌入された後、一端がカシメにより固定されており、カシメ部分が前記環状凹所に嵌められている。また、第１及び第２の板部８１，９１の他端部にはランプ４とインバータ回路基板とに接続されるコネクタ用の挿通孔８４，９４が列設されている。
【００４３】
第３の板部１０１の端部１０ａ，１０ｂは段部１０１ａ，１０１ａを経て板厚方向（重ね合わせる方向）へ偏倚しており、一方の端部１０ａに第１の板部８１の端部８ａが重ね合わされ、他方の端部１０ｂに第２の板部９１の端部９ａが重ね合わされている。一方の端部１０ａには第１の板部８１の筒体３４夫々が挿通される挿通孔１０３が、板部８１，９１，１０１の並置方向及び一方の端部１０ａの端末に沿う方向へ離隔して開設されており、他方の端部１０ｂには第２の板部９１の筒体３４夫々が挿通される挿通孔１０４が、板部８１，９１，１０１の並置方向及び他方の端部１０ｂの端末に沿う方向へ離隔して開設されている。
【００４４】
連結具７は第３の板部１０１の端部１０ａ，１０ｂに重ね合わされ、その幅方向へ凹凸に屈曲する帯状板７１と、筒体３４の螺子孔に捩込まれ、重ね合う端部８ａ，１０ａ、９ａ，１０ｂに帯状板７１を押付けて取付ける雄螺子７２とを有する。尚、雄螺子７２が取付具を構成している。
【００４５】
帯状板７１は端部１０ａ，１０ｂの外面と接触する二つの接触平面７１ａと、接触平面７１ａ夫々の両側縁から窪む三つの凹条部７１ｂにより凹凸に屈曲しており、両側の二つの凹条部７１ｂに、筒体３４に対応する貫通孔７１ｃが前記重ね合わせる方向へ開設されている。貫通孔７１ｃは筒体３４よりも小径に形成され、筒体３４の先端が凹条部７１ｂの内面に当接している。
【００４６】
第１〜第３のシャーシ分体８，９，１０の連結は、端部８ａ，９ａに筒体３４が取付けられている第１及び第２のシャーシ分体８，９が、板部８１，９１が上向となるように離隔して並置され、第１及び第２のシャーシ分体８，９間に第３のシャーシ分体１０が配置され、第３のシャーシ分体１０の一方の端部１０ａの挿通孔１０３に、第１のシャーシ分体８の筒体３４が挿通され、第３のシャーシ分体１０の他方の端部１０ｂの挿通孔１０４に、第２のシャーシ分体９の筒体３４が挿通された後、第３のシャーシ分体１０の端部１０ａ，１０ｂ夫々に帯状板７１が載置され、該帯状板７１の接触平面７１ａが端部１０ａ，１０ｂの外面に接触した状態で、帯状板７１の凹条部７１ｂに開設されている貫通孔７１ｃへ雄螺子７２を挿通して筒体３４の螺子孔に捩込むことにより行われる。この連結により、帯状板７１の接触平面７１ａが端部１０ａ，１０ｂに押付けられ、重ね合う端部８ａ，１０ａ、９ａ，１０ｂ同士が密着し、重ね合う端部８ａ，１０ａ、９ａ，１０ｂ間の隙間はなくなる。また、第３のシャーシ分体１０の端部１０ａ，１０ｂは重ね合わせる方向へ偏倚し、この偏倚した端部１０ａ，１０ｂに第１及び第２のシャーシ分体８，９の端部８ａ，９ａが重ね合わされているため、外部の埃がシャーシＣ内に侵入する方向が、前記並置される方向、及び前記重ね合わせる方向の２方向となり、埃の侵入阻止性を高めることができる。また、シャーシＣの内面を平坦にすることができるため、シャーシＣの内側に配する反射シートに皺が生ずるのを防ぐことができる。
【００４７】
また、シャーシＣは、アルミニウム板からなる第１及び第２のシャーシ分体８，９と、アルミニウム板からなる第３のシャーシ分体１０とが端部を重ね合わされて帯状板７１及び雄螺子７２により連結されているため、比較的大型の光源装置であっても、シャーシＣを軽量にできるとともにシャーシＣの剛性を高めることができる。
その他の構成及び作用は実施の形態１〜３と同様であるため、同様の部品については同じ符号を付し、その詳細な説明及び作用効果の説明を省略する。
【００４８】
尚、以上説明した実施の形態のシャーシＢは、アルミニウム製の第１〜第３の板体３１，３２，３３を並置してなる蓋板３を有する構成としたが、その他、蓋板３は線膨張係数が異なる複数の板体を連結してなる構成としてもよい。例えば第１及び第２の板体３１，３２を線膨張係数2.3 ×10-5のアルミニウム製とし、第３の板体３３を線膨張係数1.2 ×10-5の鉄板製としてもよく、第１〜第３の板体３１，３２，３３の少なくとも一つがアルミニウム製であればよく、この場合においても鉄板製の蓋板に比べて蓋板３を軽量にできるとともに、蓋板３の剛性を高めることができ、比較的大型の光源装置であってもシャーシＢを軽量にできる。また、蓋板３は線膨張係数が異なる板体３１，３２，３３を連結してなるため、線膨張係数が小さい板体により蓋板３の熱膨張量を低減でき、熱膨張による蓋板３の撓み変形を発生し難くできる。また、第１〜第３の板体３１，３２，３３は鉄板等の金属板であってもよいし、射出成形等により形成される樹脂成形体であってもよい。このように構成される蓋板３は図２〜図８に示した蓋板３と同様、連結具７により連結される。
【００４９】
また、以上説明した実施の形態のシャーシＣは、アルミニウム製の第１〜第３のシャーシ分体８，９，１０を並置してなる構成としたが、その他、線膨張係数が異なる複数のシャーシ分体８，９，１０を連結してなる構成としてもよい。例えば第１及び第２のシャーシ分体８，９を線膨張係数2.3 ×10-5のアルミニウム製とし、第３のシャーシ分体１０を線膨張係数1.2 ×10-5の鉄板製としてもよく、第１〜第３のシャーシ分体８，９，１０の少なくとも一つがアルミニウム製であればよく、この場合においても鉄板製のシャーシに比べて軽量にできるとともに、剛性を高めることができ、比較的大型の光源装置であってもシャーシＣを軽量にできる。また、シャーシＣは線膨張係数が異なるシャーシ分体８，９，１０を連結してなるため、線膨張係数が小さいシャーシ分体８，９，１０によりシャーシＣの熱膨張量を低減でき、熱膨張によるシャーシＣの撓み変形を発生し難くできる。また、第１〜第３のシャーシ分体８，９，１０は鉄板等の金属板であってもよいし、射出成形等により形成される樹脂成形体であってもよい。このように構成されるシャーシは図９、図１０に示したシャーシと同様、連結具７により連結される。
【００５０】
また、以上説明した実施の形態では、第１及び第２の板体３１，３２の端部３１ｃ，３２ｃに筒体３４をカシメ加工により取付けたが、その他、第１及び第２の板体３１，３２の端部３１ｃ，３２ｃに、雄螺子７２が捩込まれる筒部をバーリング加工により一体に形成してもよい。
【００５１】
また、以上説明した実施の形態では３枚の板体３１，３２，３３を連結してなる蓋板３を備える構成としたが、その他、蓋板３は２枚の板体又は４枚以上の板体を連結してなる構成としてもよい。
【００５２】
また、以上説明した実施の形態では三つのシャーシ分体８，９，１０を連結してなるシャーシＣを備える構成としたが、その他、シャーシＣは二つのシャーシ分体８，９又は四つ以上のシャーシ分体（シャーシ分体８，９と二つ以上のシャーシ分体１０）を連結してなる構成としてもよい。
【００５３】
また、複数のシャーシ分体８，９，１０を並置してなるシャーシＣは、隣合うシャーシ分体８，９，１０の板部８１，９１，１０１の端部８ａ，１０ａ、９ａ，１０ｂを重ね合わせ、この重ね合う端部８ａ，１０ａ、９ａ，１０ｂ同士を連結具７が連結する構成としたが、その他、板部８１，９１，１０１の端部８ａ，１０ａ、９ａ，１０ｂを重ね合わせ、さらに屈曲片８２，９２，１０２の隣合う側の端部を重ね合わせ、板部８１，９１，１０１の重ね合う端部８ａ，１０ａ、９ａ，１０ｂを連結具７が連結し、屈曲片８２，９２，１０２の重ね合う端部を雄螺子７２等の連結具７が連結する構成としてもよい。この構成にあっては、板部８１，９１，１０１及び屈曲片８２，９２，１０２が重ね合って連結されるため、シャーシＣの剛性をより一層高めることができる。また、複数のシャーシ分体８，９，１０を並置してなるシャーシＣは、実施の形態２、３に示す連結構造としてもよい。
【００５４】
また、以上説明した実施の形態では連結具７の帯状板７１として、その幅方向へ凹凸に屈曲する構成としたが、その他、帯状板７１は断面が四角形、Ｅ字形又はＵ字形をなす構成としてもよい。
【００５５】
また、連結具７の取付具として雄螺子７２を用いたが、その他、頭付ピンを用い、該頭付ピンを孔に圧入により固定、又は頭付ピンを孔に挿通し、先端をカシメることにより固定する構成としてもよい。
【図面の簡単な説明】
【００５６】
【図１】表示装置に組込まれている本発明に係る光源装置の構成を示す断面図である。
【図２】本発明に係る光源装置のシャーシの構成を示す背面図である。
【図３】本発明に係る光源装置のシャーシの構成を示す枠部を省略した分解斜視図である。
【図４】図２のIV−IV線の拡大断面図である。
【図５】図２のIV−IV線の一部を省略した拡大断面図である。
【図６】本発明に係る光源装置のシャーシの他の構成を示す要部の拡大断面図である。
【図７】本発明に係る光源装置のシャーシの他の構成を示す要部の分解した拡大斜視図である。
【図８】本発明に係る光源装置のシャーシの他の構成を示す要部の拡大断面図である。
【図９】本発明に係る光源装置のシャーシの他の構成を示す斜視図である。
【図１０】本発明に係る光源装置のシャーシの他の構成を示す分解斜視図である。
【図１１】本発明に係る光源装置のシャーシの他の構成を示す拡大断面図である。
【符号の説明】
【００５７】
Ｂ，Ｃ  シャーシ
２    枠部
３    蓋板
３１，３２，３３  板体
３１ｃ  端部
３１ｅ  凹条部
３１ｆ  貫通孔
３２ｃ  端部
３２ｅ  凹条部
３２ｆ  貫通孔
３３ｂ，３３ｃ  端部
３３ｇ，３３ｈ  凹条部
３３ｉ，３３ｊ  貫通孔
３３ｋ，３３ｍ  貫通孔
３４  筒体（筒部）
４    ランプ
７    連結具
７１  帯状板
７１ｃ  挿通孔
７２  雄螺子（取付具）
８，９，１０  シャーシ分体
８ａ，９ａ，１０ａ，１０ｂ  端部
【図１】
2008311039.tif 000003
【図２】
2008311039.tif 000004
【図３】
2008311039.tif 000005
【図４】
2008311039.tif 000006
【図５】
2008311039.tif 000007
【図６】
2008311039.tif 000008
【図７】
2008311039.tif 000009
【図８】
2008311039.tif 000010
【図９】
2008311039.tif 000011
【図１０】
2008311039.tif 000012
【図１１】
2008311039.tif 000013